(57)【要約】      （修正有）【課題】アグロバクテリウム法によるマリーゴールドの形質転換の不定芽形成率を向上し、アグロバクテリウム法によるマリーゴールドの形質転換体の作出を可能にする。これによりルテイン含有量の高いマリーゴールド、カドミウム耐性が高くハイパーアキュムレーターとして有用なマリーゴールド等の提供。【解決手段】アグロバクテリウム法によるマリーゴールドの形質転換方法において、アグロバクテリウム抑制用の抗生物質としてメロペネムを使用することを特徴とする形質転換方法。【選択図】なし【特許請求の範囲】
【請求項１】
アグロバクテリウム法によるマリーゴールドの形質転換方法において、アグロバクテリウム抑制用の抗生物質としてメロペネムを使用することを特徴とする方法。
【請求項２】
上記メロペネムが６〜２５ｍｇ／ｌの濃度で培地に添加されることを特徴とする請求項１記載の方法。
【請求項３】
選択用の抗生物質としてカナマイシンを使用することを特徴とする請求項１または２記載の方法。
【請求項４】
前記カナマイシンが５〜１５ｍｇ／ｌの濃度で培地に添加されることを特徴とする請求項３記載の方法。
【請求項５】
不定芽を誘導するための培地が、ホルモンとして、インドール酢酸及びベンジルアデニンを各々３〜５ｍｇ／ｌの濃度で含むことを特徴とする請求項１〜４のいずれか１項に記載の方法。
【請求項６】
請求項１〜５のいずれか１項に記載の形質転換方法により作出された形質転換体。
【発明の詳細な説明】
【技術分野】
【０００１】
本発明は、アグロバクテリウム法によるマリーゴールドの形質転換方法に関する。
【背景技術】
【０００２】
マリーゴールドは殺虫、殺菌、殺線虫作用を持つ生理活性物質をもち、特に線虫防除を目的とした間作物や、輪作に一般的に用いられている。例えば、トマトとマリーゴールドを混栽することで線虫の個体数を９８％減少できることが報告されている（非特許文献１）。
さらにマリーゴールドは黄や橙色の色素であるカロテノイド源として工業的なスケールで栽培・収穫されている。花から得られる天然の抽出物は食品の着色料として使われ、特に家禽の皮膚や卵黄の発色を改善する目的で養鶏用飼料に利用される。
マリーゴールドの花から得られる主な色素は脂溶性のカロテノイドであるルテインである（非特許文献２）。ルテインは近年では強い抗酸化作用を持つ物質としても注目されている。マリーゴールドから抽出したルテインはβカロテンやリコピンといったカロテノイドよりも高い抗酸化作用を示し、変異誘発物質や染色体異常誘発物質に対して阻害的にはたらくことが報告されており、それらを原因とする癌や加齢黄斑変性といった病気のリスクを低減させることが期待されている。
また、幅広い栽培環境とその高いルテイン含量から、マリーゴールドはカロテノイド研究の理想的なモデル植物のひとつとされている。ルテインは非メバロン経路により合成され（非特許文献３）、遺伝子工学的手法によりルテインの増加や新たなカロテノイドを得ることが期待される。 
これら農業的、工業的な利用に加え、近年はマリーゴールドのファイトレメディエーションへの利用の可能性が注目されている。ファイトレメディエーションとは、植物を利用した環境浄化技術である。汚染土壌で栽培した植物に重金属等の汚染物質を吸収・蓄積させ、植物体ごと回収することで、土壌中の汚染物質の濃度を低下させることができる。日本では、カドミウムによる農地土壌の汚染が問題となっているが、このカドミウムを高濃度に蓄積する植物としてハクサンハタザオなど数種のハイパーアキュムレーター(一般に、乾燥重量１ｋｇの植物体当たり１００ｍｇ以上のカドミウムを蓄積する能力)が知られている。マメ科、イネ科、キク科植物８種で行われた試験例では、えん麦やクロタラリアと共に、マリーゴールドの葉におけるカドミウム濃度が、ハイパーアキュムレーターとして用いられる基準値よりも優れていることが示されている（非特許文献４）。 
マリーゴールドは栽培可能な土壌環境が広く栽培が容易であるため、実際に栽培がしやすい。さらに、外見が美しいため浄化する土地の景観が向上するほか、花の販売による経済効果も期待されるという、他の植物には無い付加価値も持っている。タイではこの点に注目した研究者たちにより、アフリカンマリーゴールドとフレンチマリーゴールドの３倍体ハイブリッドであるナゲットマリーゴールドの砒素汚染浄化能力の試験が行われた。その結果、ナゲットマリーゴールドは砒素を高蓄積したことに加え、高い砒素耐性をも示した（非特許文献５）。 
上記のような従来育種法に加え、遺伝子組換え技術を用いたマリーゴールドの分子育種技術の確立により、各種のストレスに対する耐性や、カドミウム蓄積能のさらなる向上が可能になると考えられる。さらに、有機系汚染物質分解酵素遺伝子の導入により、重金属と有機系汚染物質の複合汚染に対応した植物体を作出することも期待される。 
従って、農業的及び工業的に利用価値が高く、ファイトレメディエーションへの利用も期待されるマリーゴールドの形質転換を効率的に行うことが求められている。
アグロバクテリウム法によるマリーゴールドの形質転換については、一過性形質転換についての報告がある（非特許文献６）。
【先行技術文献】
【非特許文献】
【０００３】
【非特許文献１】Alexander SA, Waldenmaier CM (2002) Suppression of Pratylenchus penetrans populations in potato and tomato using African marigolds. Journal of Nematology 34:130-134
【０００４】
【非特許文献２】Delgado-Vargas F, Jimenez AR, Paredes-Lopez O (2000) Natural pigments: Carotenoids, anthocyanins, and betalains - Characteristics, biosynthesis, processing, and stability. Critical Reviews in Food Science and Nutrition 40:173-289
【０００５】
【非特許文献３】Dubey VS, Bhalla R, Luthra R (2003) An overview of the non-mevalonate pathway for terpenoid biosynthesis in plants. Journal of Biosciences 28:637-646
【０００６】
【非特許文献４】Uraguchi S, Watanabe I, Yoshitomi A, Kiyono M, Kuno K (2006) Characteristics of cadmium accumulation and tolerance in novel Cd-accumulating crops, Avena strigosa and Crotalaria juncea. Journal of Experimental Botany 57:2955-2965
【０００７】
【非特許文献５】Chintakovid W, Visoottiviseth P, Khokattiwong S, Lauengsuchonkul S (2008) Potential of the hybrid marigolds and income generation of remediators for arsenic phytoremediation in Ron Phibun District, Thailand. Chemosphere 70:1532-1537
【０００８】
【非特許文献６】Godoy-Hernandez G, Berzunza EA, Concha LC, Miranda-Ham MD (2006) Agrobacterium-mediated transient transformation of marigold (Tagetes erecta). Plant Cell Tissue and Organ Culture 84:365-368
【発明の概要】
【発明が解決しようとする課題】
【０００９】
しかしながら、アグロバクテリウム法によるキク科植物の形質転換は困難であり、特にマリーゴールドの形質転換については、２００６年にこの方法を用いた一過性形質転換についての報告があるのみであり（非特許文献６）、アグロバクテリウム法によるマリーゴールドの完全な遺伝子組換え個体の作出に成功した例はなかった。
アグロバクテリウムによる植物の形質転換には、多くの場合、植物の葉の切片（リーフディスク）が材料として使われる。リーフディスクから形質転換個体を得るためには、ｉｎ  ｖｉｔｒｏでの組織培養による不定芽の形成および伸長が必須である。そのため、形質転換法の確立のためには、まずリーフディスク等の組織片からの不定芽形成率を向上させる必要がある。
さらに、アグロバクテリウムによる形質転換においては、植物細胞へ遺伝子を導入した後、培地に抗生物質を添加することで余剰のアグロバクテリウムを除去することが求められるが、添加される抗生物質の種類によっては、その毒性により不定芽の再分化及が阻害されることも問題となっていた。
本発明者らは、上記課題を解決するために鋭意研究を行った結果、アグロバクテリウムの過剰な生育を抑制するための抗生物質としてメロペネムを使用することにより、不定芽形成率が著しく向上することを見出し、アグロバクテリウム法によるマリーゴールドの形質転換体の作出に成功して、本発明を完成した。
【課題を解決するための手段】
【００１０】
本発明は、下記の形質転換方法に関する。
（１）アグロバクテリウム法によるマリーゴールドの形質転換方法において、アグロバクテリウムの過剰な生育を抑制するための抗生物質としてメロペネムを使用することを特徴とする方法。
（２）上記メロペネムが６〜２５ｍｇ／ｌの濃度で培地に添加されることを特徴とする（１）の方法。
（３）選択用の抗生物質としてカナマイシンを使用することを特徴とする（１）または（２）の方法。
（４）前記カナマイシンが５〜１５ｍｇ／ｌの濃度で培地に添加されることを特徴とする（３）の方法。
（５）不定芽を誘導するための培地（不定芽誘導培地）が、ホルモンとして、インドール酢酸（ＩＡＡ）及びベンジルアデニン（ＢＡ）を各々３〜５ｍｇ／ｌの濃度で含むことを特徴とする（１）〜(４)のいずれかの方法。
さらに、本発明は（１）〜（５）の形質転換方法により作出された形質転換体に関する。
【発明の効果】
【００１１】
本発明のマリーゴールドの形質転換方法により、不定芽形成率が向上し、アグロバクテリウム法によるマリーゴールドの形質転換体を作出することが可能になった。
【図面の簡単な説明】
【００１２】
【図１】本発明の形質転換方法において得られた形質転換植物の葉のGUS遺伝子の発現状態を示す写真である。
【図２】本発明の形質転換方法において得られる植物体中にGUS遺伝子が存在することを示す電気泳動写真である。
【発明を実施するための形態】
【００１３】
本発明において、アグロバクテリウム法による形質転換方法は、目的遺伝子が導入されたアグロバクテリウムを組織片に感染させた後、不定芽を再分化させ、目的遺伝子を含む不定芽を選択することにより、目的遺伝子で形質転換された植物体を作出する方法を意味する。該方法は、例えば、目的遺伝子が導入されたアグロバクテリウムをマリーゴールドの組織片に接触させる感染工程、該アグロバクテリウムと組織片を同時に培養する共存培養工程、共存培養後の組織片を不定芽誘導培地で培養して不定芽を形成すると共に、形質転換細胞の選択を行う再分化・選択工程、及び不定芽を伸長させて得られるシュートを発根誘導培地に移して培養し、植物体を再生させる工程を含む方法により行うことができる。
好ましくは、共存培養後、不定芽誘導培地で培養する前に、一定期間、例えば１〜２週間植物ホルモンを含有せず、アグロバクテリウム抑制用抗生物質を含有する培地で培養することが望ましい。
本発明の形質転換法において、アグロバクテリウムとしては、例えばＡｇｒｏｂａｃｔｅｒｉｕｍ  ｔｕｍｅｆａｃｉｅｎｓ  ＬＢＡ４４０４株、ＥＨＡ１０１株、ＥＨＡ１０５株、ＧＶ３１０１株等を使用することができる。
アグロバクテリウムによる植物への目的遺伝子の導入は、当該分野で公知の方法、例えばバイナリーベクター法により行うことができる。
バイナリーベクターは、既に開発されている種々のものを使用することができ、例えば、ｐＩＧ１２１−Ｈｍ、ｐＢＩ１２１等を使用し得る。バイナリーベクターは、目的遺伝子のほか、選択マーカー遺伝子｛例えば、カナマイシン耐性遺伝子（ＮＰＴII）やハイグロマイシン耐性遺伝子｝、レポーター遺伝子｛例えば、β-グルクロニダーゼ（ＧＵＳ）遺伝子や緑色蛍光蛋白質遺伝子｝等を含み得る。
アグロバクテリウムのマリーゴールドへの感染（接種）は、例えばマリーゴールドの組織片をアグロバクテリウム菌液が含まれた滅菌水あるいは各種液体培地に浸漬し、軽く振とうした後、静置することにより行い得る。アグロバクテリウムの菌液を含む滅菌水あるいは各種液体培地は、例えば６６０ｎｍにおける吸光度が０．１〜１．０となるように調製する。
感染工程の前または感染工程中にマリーゴールドの組織片を浸した滅菌水に超音波処理を行うこともできる。超音波処理は、好ましくは１〜５分間行う。
マリーゴールドは、好ましくは雄性不稔株であり、例えばアフリカンマリーゴールドバニラ（Ｔａｇｅｔｅｓ  ｅｒｅｃｔａ  ｖａｎｉｌｌａ）の雄性不稔株である。
マリーゴールドの組織片としては、例えば実生やクローン苗に由来する葉片（リーフディスク）、茎片、根片を使用し得る。
共存培養は、アグロバクテリウムの培養に適した公知の培地、例えばムラシゲ・スクーグ（ＭＳ）培地やガンボーグＢ５培地等で行うことができる。
再分化・選択工程は、好ましくは不定芽誘導培地上にろ紙を敷き、その上に組織片を置床し、多孔性シートによりシーリングして培養することにより行う。
また、前記再分化・選択工程は、遮光して行うことが望ましい。
再分化・選択工程でシャーレをシーリングする資材としては、サージカルテープ、複数の穴を開けたパラフィルム等を使用し得る。
不定芽誘導培地は、ホルモンとして、インドール酢酸（ＩＡＡ）、ベンジルアデニン（ＢＡ）  等を含むことができる。ホルモン濃度は、例えば１〜１０ｍｇ／ｌ、好ましくは３〜５ｍｇ／ｌ、より好ましくはＩＡＡが３ｍｇ／ｌ、ＢＡが５ｍｇ／ｌである。
不定芽誘導培地及び発根誘導培地、及び共存培養後にホルモンなしで一定期間培養するための培地は、アグロバクテリウムの抑制のための抗生物質として、メロペネムを例えば６〜２５ｍｇ／ｌ、好ましくは１２〜１３ｍｇ／ｌの量で添加し得る。
アグロバクテリウム法による形質転換では、遺伝子が導入された細胞を優先的に増殖させるため、抗生物質等を用いて選択を行うことが一般的である。本発明の形質転換方法においては、不定芽誘導培地及び発根誘導培地に、ベクターに含まれる抗生物質耐性遺伝子に対応する抗生物質、例えばハイグロマイシンまたはカナマイシン、好ましくはカナマイシンを添加することができる。
ハイグロマイシンは５ｍｇ／ｌ以下の量で添加するのが好ましい。
カナマイシンは例えば１〜２００ｍｇ／ｌ、好ましくは１〜２０ｍｇ／ｌ、特に好ましくは５〜１５ｍｇ／ｌの量で添加する。
しかしながら、本発明においては、抗生物質による選択を行わずにリーフディスクを培養し、得られた不定芽やシュートを１つ１つＧＵＳ染色によってスクリーニングしてもよい。
上記共存培養培地、不定芽誘導培地、発根誘導培地等、本発明の方法の各工程で使用される培地の寒天濃度は、好ましくは０．８〜１．２％、特に好ましくは１．０％である。
【実施例】
【００１４】
以下、実施例及び試験例により本発明を更に具体的に説明するが、本発明はこれらに限定されるものではない。
実施例：
（１）リーフディスクの調製
下記の試験例及び実施例を通じて、マリーゴールドとしては、マリーゴールドバニラ（Ｔａｇｅｔｅｓ  ｅｒｅｃｔａ  ｖａｎｉｌｌａ）の雄性不稔系固定種Ｎｏ．３９−７を用いた。無菌状態の同植物から２〜３ｃｍに成長した頂芽もしくは腋芽を採取し、プラントボックス内のＭＳ培地上に植え継いだ後、２週間以上が経過して発根がみられた植物体から葉を切り取り、滅菌シャーレ上でメスを使って切り分けることによりリーフディスクを調製した。次に、このリーフディスクを滅菌容器に入れた蒸留水中に投入した後、容器ごと超音波洗浄機で５分間超音波処理を加えた。ここまでの操作は、全て無菌条件下で行った。
（２）マリーゴールドの形質転換に用いるアグロバクテリウムの調製
遺伝子導入処理にはＡｇｒｏｂａｃｔｅｒｉｕｍ ｔｕｍｅｆａｃｉｅｎｓ ＬＢＡ４４０４株を用いた。この菌株に、三親接合伝達法によりバイナリーベクターｐＩＧ１２１−Ｈｍを導入し、遺伝子導入用の菌株とした。ｐＩＧ１２１−ＨｍのＴ−ＤＮＡ上には、選択マーカーとしてカナマイシン耐性遺伝子及びハイグロマイシン耐性遺伝子が、レポーター遺伝子としてβ-グルクロニダーゼ遺伝子が存在する。アグロバクテリウムは５０ｍｇ／ｌのカナマイシン（カナマイシン硫酸塩、和光純薬工業社製）を含むＹＥＢ寒天培地上で継代培養した。遺伝子導入処理に際しては、菌体をＹＥＢ液体培地に接種した後に２８℃で振とう培養し、６６０ｎｍにおける吸光度が０．５に達した段階で、培養液を滅菌蒸留水で希釈して実験に用いた。
（３）アグロバクテリウムのリーフディスクへの接種と共存培養
前記（１）の要領で調製したリーフディスクに、前記（２）の要領で調製したアグロバクテリウム菌液を１５分間接触させた。次に、リーフディスクを濾紙上に移して表面に付着した余分な菌液を除いた後、濾紙を敷いたＭＳ寒天培地に移植した。この状態で２日間、２５℃、暗所でリーフディスクとアグロバクテリウムを静置培養（共存培養）した。
（４）形質転換シュートの選抜
上記（３）の要領で調製したリーフディスクを、植物ホルモンを含まないＭＳ寒天培地に移植し、２５℃、１６時間明所／８時間暗所のサイクル下で１週間培養した。尚、この培地には、アグロバクテリウムを除菌するためにメロペネム（メロペネム三水和物、和光純薬工業社製）を１２．５ｍｇ／ｌの濃度で添加した。次に、形質転換により抗生物質耐性を付与された細胞及び組織を選抜するため、カナマイシン及びメロペネムを各々１０ｍｇ／ｌ、１２．５ｍｇ／ｌの濃度で添加した不定芽誘導培地（ＭＳ寒天培地にＩＡＡとＢＡを各々３ｍｇ／ｌ、５ｍｇ／ｌの濃度で含有）に移植し、２５℃、１６時間明所／８時間暗所のサイクル下で引き続き培養した。これらの操作により、リーフディスクから不定芽が順次再生した。再生した不定芽は更に伸長させてシュート状にした後、その基部をリーフディスクから切り離し、カナマイシン及びメロペネムを各々１０ｍｇ／ｌ、２５ｍｇ／ｌの濃度で添加した発根誘導培地（ホルモンを含まないＭＳ寒天培地）に移植することで発根を促した。
（５）遺伝子導入の確認
上記（１）から（４）の要領で処理して得られた形質転換個体の候補について、抗生物質耐性遺伝子と共に導入したβ-グルクロニダーゼＧＵＳ遺伝子の発現に伴うβ−グルクロニダーゼ活性を、５−ブロモ−４−クロロ−３−インドリル−β−Ｄ−グルクロン酸（Ｘ−Ｇｌｕｃ）を基質として定性的に検出した。即ち、各形質転換個体の候補から切り出した葉をＸ−Ｇｌｕｃを含む緩衝液に投入し、ＧＵＳ遺伝子の発現に伴う発色（青色）の有無を確認した。また、同時に、各個体から全ＤＮＡを調製し、これを鋳型にしてＰＣＲを行うことよりゲノム中にカナマイシン耐性遺伝子が存在していることを確認した。
上記（１）〜（５）の要領で独立した２回の実験を行った結果を表１に示す。この表から分かるように実験１では７８枚のリーフディスクのうち１枚から、実験２では４１８枚のリーフディスクのうち３枚からカナマイシン耐性を持つ幼植物体を再分化させることに成功した。これら再生した幼植物体の葉の一部を用いてＧＵＳ染色を行ったところ、図１に示すように葉の周縁部にＧＵＳ活性に起因する青色の発色が確認された（矢印部）。更に、実験２において得られた５個体の幼植物から回収した全ＤＮＡを鋳型とし、ＧＵＳ遺伝子を増幅することのできるプライマーを用いてＰＣＲを行った。ＰＣＲ実施後、反応溶液をアガロース電気泳動に供した（図２）。図２に示されるように、形質転換されていると考えられる５つの植物体の４個体のゲノム中にＧＵＳ遺伝子の存在が確認された。これらのことから、本発明により、これまで困難であったアグロバクテリウムを用いたマリーゴールドの形質転換が可能になることが示された。
【００１５】
【表１】
2011155929.tif 000002
試験例１：再分化・選択工程におけるメロペネム濃度の検討
アグロバクテリウム抑制用抗生物質として添加するメロペネムの濃度を６．２５ｍｇ／ｌ、１２．５ｍｇ／ｌもしくは２５ｍｇ／ｌとし、上記実施例と同様の方法によりマリーゴールドの形質転換を行った。また、メロペネムを添加せずに同様の方法により形質転換を行った。各々について、不定芽を形成したリーフディスクの数及びアグロバクテリウムの過剰増殖の有無を調べた。結果を表２に示す。
【００１６】
【表２】
2011155929.tif 000003
−：アグロバクテリウムの過剰増殖が観察されなかったことを示す。
＋：アグロバクテリウムの過剰増殖が観察されたことを示す。
＋＋：アグロバクテリウムの著しい過剰増殖が観察されたことを示す。
表２に示すように、いずれの濃度区においても培養期間が長くなるに従って不定芽が再生するリーフディスクの数が増加したが、メロペネム濃度１２．５ｍｇ／ｌの条件下において最も多くの不定芽が得られた。また、メロペネムを添加しない場合は、アグロバクテリウムの著しい過剰増殖が観察された。
試験例２：カルベニシリン感受性試験
アグロバクテリウム抑制用抗生物質としてメロペネム１２．５ｍｇ／ｌの代わりにカルベニシリンを、１００，２５０，５００ｍｇ／ｌの濃度で添加すること以外は上記実施例と同様の方法により、マリーゴールドの形質転換を行った。結果を表３に示す。
【００１７】
【表３】
2011155929.tif 000004
−：アグロバクテリウムの過剰増殖が観察されなかったことを示す。
＋：アグロバクテリウムの過剰増殖が観察されたことを示す。
＋＋：アグロバクテリウムの著しい過剰増殖が観察されたことを示す。
表３に示すように、メロペネムを用いた場合よりも不定芽形成率は著しく低下した。
比較例１
【００１８】
上述の実施例において、不定芽誘導培地からカナマイシンを除いた実験を行った。結果を表４に示す。不定芽誘導培地上で再生する不定芽やそれから伸長するシュートの数は増加したものの、遺伝子を持つシュートを優先的に増殖させることができず、最終的に形質転換個体を得ることができなかった。
比較例２
【００１９】
上述の実施例において、不定芽誘導培地に投入するカナマイシンの濃度を２０ｍｇ／ｌに増加した実験を行った。結果を表４に示す。この条件では、カナマイシンによる選択圧が強く働きすぎたため、不定芽誘導培地上で再生する不定芽やそれから伸長するシュートの数が極端に減少し、最終的に形質転換個体を得ることができなかった。
【００２０】
【表４】
2011155929.tif 000005
試験例３：マリーゴールドのリーフディスクからの不定芽の再分化条件の検討
無菌条件下で継続的に培養するマリーゴールドの葉をはさみで切り出した後、シャーレ上でメスを用いて主脈を落とし、複葉を２〜４ｍｍ角程度の大きさに切断してリーフディスクを作製した。このリーフディスクをＩＡＡが０．１〜５．０ｍｇ／ｌ、ＢＡが１〜１０ｍｇ／ｌの濃度で含有されたＭＳ寒天培地上に置床した。このようにして調製したリーフディスクを、２５℃、１６時間明期／８時間暗期の条件下で５週間培養し、各ホルモン添加条件下でのリーフディスクからの不定芽再生及びそれから伸長するシュートの様子を観察した。培養5週間後、伸長したシュートを生じたリーディスクの割合を計測した。表５に示す結果から分かるように、培地に添加するＩＡＡとＢＡの最終濃度が、各々３ｍｇ／ｌと５ｍｇ／ｌの場合に最も良好な結果が得られた。
【００２１】
【表５】
2011155929.tif 000006
試験例４：組織培養時の寒天濃度の検討
植え継ぎ後約３週間のマリーゴールドから実施例１と同様の方法によりリーフディスクを作製した。またこの試験例では、主脈の部分も５ｍｍ程度の長さに切断し、同様に外植片として用いた。リーフディスクと主脈片は０．８％、１．０％、１．２％との寒天濃度の再分化培地に、ろ紙を敷いて置床した。培地はサージカルテープでシールした上、キムワイプ（登録商標）でプレートの上面を遮光し、培養棚で培養した。培養２週目で培地交換と観察、３週目および４週目で観察を行った。また５週目には観察ののち不定芽が得られたリーフディスクをＭＳ寒天培地へ移し、さらにシュート伸長の様子を観察した。結果を表６に示す。
【００２２】
【表６】
2011155929.tif 000007
＊：不定芽形成率＝（不定芽を形成したリーフディスク数／置床したリーフディスク数）×１００
表６より明らかなように、寒天濃度０．８〜１．２％において不定芽の形成が観察され、不定芽形成率は寒天濃度１．０％で最も高かった。
【図１】
2011155929.tif 000008
【図２】
2011155929.tif 000009